(57)【要約】【課題】スイッチバック搬送により記録用紙の表裏を反転させて、記録用紙の両面印字を行う場合であっても、記録用紙がローラに巻き付かないようにする。【解決手段】記録用紙表面の印字のときに、記録用紙表面の先端のボイド域Ｂ１１だけではなく、表面の後端のボイド域Ｂ２１も形成しておき、引き続く記録用紙裏面の印字のときには、記録用紙裏面の後端のボイド域Ｂ２２を形成している。このため、記録用紙表面のトナー像の定着に際しては、記録用紙表面の先端のボイド域Ｂ１１が定着ユニット２７のローラ３５周面から浮き上がり、剥離爪３７により記録用紙の端部を容易に剥がすことができる。また、記録用紙裏面のトナー像の定着に際しては、記録用紙表面及び裏面の後端のボイド域Ｂ２１、２２が定着ユニット２７の各ローラ３５、３６周面のいずれからも浮き上がり、剥離爪３７により記録用紙の端部を容易に剥がすことができる。【選択図】図５
2008020555.tif 000002
【特許請求の範囲】
【請求項１】
記録用紙をスイッチバック搬送することにより該記録用紙の表裏を反転させて、該記録用紙の両面印字を行う画像形成装置において、
前記記録用紙の両面印字に際しては、ローラへの巻き付き防止用のボイド域を記録用紙の先端及び後端に形成する制御手段を備えることを特徴とする画像形成装置。
【請求項２】
記録用紙への印字を行う印字手段を備え、
前記制御手段は、記録用紙の長さ及び前記印字手段への該記録用紙の搬送開始時点に応じて該印字手段による印字時間を制御し、該記録用紙の後端のボイド域を形成することを特徴とする請求項１に記載の画像形成装置。
【請求項３】
記録用紙の定着を行う定着手段を備え、
前記記録用紙の先端及び後端のボイド域は、前記定着手段の定着ローラへの巻き付きを防止するために形成されるものであることを特徴とする請求項１に記載の画像形成装置。
【請求項４】
記録用紙への印字を行う印字手段を備え、
前記制御手段は、前記印字手段による記録用紙への印字開始時点で該記録用紙の先端のボイド域に引き続く該記録用紙の印字域が該印字手段に到達する様に、該記録用紙の搬送を制御することを特徴とする請求項１に記載の画像形成装置。
【請求項５】
記録用紙への印字を行う印字手段を備え、
前記制御手段は、記録用紙の長さを用いて、前記印字手段への記録用紙の搬送開始時点から該記録用紙の後端のボイド域が該印字手段に到達するまでの時間を求め、この時間を用いて、該記録用紙の後端のボイド域を形成することを特徴とする請求項１に記載の画像形成装置。
【請求項６】
記録用紙への印字を行う印字手段を備え、
前記制御手段は、前記印字手段への記録用紙の搬送開始時点から該記録用紙の後端のボイド域が該印字手段に到達するまでの時間を求め、この時間が経過した時点で該印字手段による該記録用紙への書き込みを終了させて、該記録用紙の後端のボイド域を形成することを特徴とする請求項１に記載の画像形成装置。
【請求項７】
前記時間が経過した時点で前記印字手段による記録用紙への書き込みを終了させることにより、該記録用紙の後端のボイド域が余白となることを特徴とする請求項６に記載の画像形成装置。
【請求項８】
前記制御手段は、１枚の記録用紙毎に、該記録用紙の先端及び後端のボイド域の設定データを求めることを特徴とする請求項１に記載の画像形成装置。
【請求項９】
前記制御手段は、同一サイズの複数の記録用紙については、１枚の記録用紙の先端及び後端のボイド域の設定データを求めると、これらのボイド域の設定データを他の記録用紙にも適用することを特徴とする請求項１に記載の画像形成装置。
【請求項１０】
各種の記録用紙のサイズ毎に、記録用紙の先端及び後端のボイド域の設定データを記憶した記憶手段を備え、
前記制御手段は、前記記憶手段を検索して、記録用紙のサイズに対応する該記録用紙の先端及び後端のボイド域の設定データを選択して用いることを特徴とする請求項１に記載の画像形成装置。
【発明の詳細な説明】
【技術分野】
【０００１】
本発明は、記録用紙をスイッチバック搬送することにより該記録用紙の表裏を反転させて、該記録用紙の両面印字を行う画像形成装置に関する。
【背景技術】
【０００２】
一般に、複写機、プリンター、ファクシミリ装置等の画像形成装置においては、静電潜像を感光体上に形成し、トナーを現像装置から感光体へと供給し、トナーにより感光体上の静電潜像を現像して、感光体上にトナー像を形成し、トナー像を感光体から記録用紙に転写し、記録用紙を加熱及び加圧して、トナー像を記録用紙上に定着させている。
【０００３】
定着装置では、加熱ローラと加圧ローラ（定着ローラとも称す）間に記録用紙を挟み込んで加熱及び加圧し、記録用紙上のトナー像を加熱溶融して定着させる。
【０００４】
ところで、記録用紙全体にトナー像を転写して、記録用紙を定着装置の各ローラ間に通すと、記録用紙先端のトナーの付着力により該記録用紙先端がローラから剥がれ難くなり、記録用紙がローラに巻き付いて、ジャムが発生することがある。
【０００５】
このため、記録用紙先端には、トナー像が転写されないボイド域を形成することが多い。この記録用紙先端のボイド域には、トナー像が転写されておらず、トナーの付着力が生じない。これにより、記録用紙が定着装置の各ローラ間で加熱及び加圧された後でも、記録用紙先端がローラから容易に剥がれ、記録用紙がローラに巻き付くことがなく、ジャムが発生することもない。
【０００６】
これに対して記録用紙後端については、トナー像が転写されていても、定着装置の各ローラ間を通った後に、ローラから速やかに離れるので、該記録用紙後端にボイド域が形成されることはなかった。逆に、記録用紙後端の余白域を可能な限り無くすための工夫がなされることはあった（特許文献１を参照）。
【０００７】
尚、記録用紙の印字に際し、記録用紙の先端、後端、及び両側に余白部を設けることがあるが、この余白部は、記録用紙の印字レイアウトの１つとして設定されるものであり、ローラへの巻き付きを防止するための記録用紙先端のボイド域とは異なる。例えば、印字レイアウトのための記録用紙先端の余白部が無しに設定されたとしても、この余白部とは別に記録用紙先端のボイド域が残される。
【特許文献１】特開平１０−８６３５０号公報
【発明の開示】
【発明が解決しようとする課題】
【０００８】
近年、画像形成装置には、記録用紙の両面印字機能を要求されることが多くなって来ている。この両面印字機能は、例えば記録用紙の表面へのトナー像の転写及び定着が終了した後に、記録用紙の搬送を一旦停止し、記録用紙を迂回経路を介して感光体の前段まで逆方向に搬送して、記録用紙の表裏を反転させ、記録用紙の裏面へのトナー像の転写及び定着を行うというものである。
【０００９】
この様な記録用紙の表裏を反転させるための搬送をスイッチバック搬送と称し、このスイッチバック搬送により記録用紙の表裏を反転させると、記録用紙の先端及び後端が入れ替わるので、記録用紙裏面がその後端から印字されることになる。
【００１０】
しかしながら、先に述べた様に記録用紙の表面の印字に際しては、記録用紙後端のボイド域を形成しておらず、記録用紙後端までトナー像が印字されるので、記録用紙の裏面の印字に際し、記録用紙をその後端から定着装置の各ローラ間に通すと、記録用紙後端のトナーの付着力により該記録用紙後端がローラから剥がれ難くなって、記録用紙がローラに巻き付き、ジャムが発生するという不具合が生じた。
【００１１】
そこで、本発明は、上記従来の問題点に鑑みてなされたものであり、スイッチバック搬送により記録用紙の表裏を反転させて、記録用紙の両面印字を行う場合であっても、記録用紙がローラに巻き付くことがない画像形成装置を提供することを目的とする。
【課題を解決するための手段】
【００１２】
上記課題を解決するために、本発明は、記録用紙をスイッチバック搬送することにより該記録用紙の表裏を反転させて、該記録用紙の両面印字を行う画像形成装置において、前記記録用紙の両面印字に際しては、ローラへの巻き付き防止用のボイド域を記録用紙の先端及び後端に形成する制御手段を備えている。
【００１３】
また、記録用紙への印字を行う印字手段を備え、前記制御手段は、記録用紙の長さ及び前記印字手段への該記録用紙の搬送開始時点に応じて該印字手段による印字時間を制御し、該記録用紙の後端のボイド域を形成している。
【００１４】
更に、記録用紙の定着を行う定着手段を備え、前記記録用紙の先端及び後端のボイド域は、前記定着手段の定着ローラへの巻き付きを防止するために形成されている。
【００１５】
また、記録用紙への印字を行う印字手段を備え、前記制御手段は、前記印字手段による記録用紙への印字開始時点で該記録用紙の先端のボイド域に引き続く該記録用紙の印字域が該印字手段に到達する様に、該記録用紙の搬送を制御している。
【００１６】
更に、記録用紙への印字を行う印字手段を備え、前記制御手段は、記録用紙の長さを用いて、前記印字手段への記録用紙の搬送開始時点から該記録用紙の後端のボイド域が該印字手段に到達するまでの時間を求め、この時間を用いて、該記録用紙の後端のボイド域を形成している。
【００１７】
また、記録用紙への印字を行う印字手段を備え、前記制御手段は、前記印字手段への記録用紙の搬送開始時点から該記録用紙の後端のボイド域が該印字手段に到達するまでの時間を求め、この時間が経過した時点で該印字手段による該記録用紙への書き込みを終了させて、該記録用紙の後端のボイド域を形成している。
【００１８】
更に、前記時間が経過した時点で前記印字手段による記録用紙への書き込みを終了させることにより、該記録用紙の後端のボイド域が余白となる。
【００１９】
また、前記制御手段は、１枚の記録用紙毎に、該記録用紙の先端及び後端のボイド域の設定データを求めている。
【００２０】
更に、前記制御手段は、同一サイズの複数の記録用紙については、１枚の記録用紙の先端及び後端のボイド域の設定データを求めると、これらのボイド域の設定データを他の記録用紙にも適用している。
【００２１】
また、各種の記録用紙のサイズ毎に、記録用紙の先端及び後端のボイド域の設定データを記憶した記憶手段を備え、前記制御手段は、前記記憶手段を検索して、記録用紙のサイズに対応する該記録用紙の先端及び後端のボイド域の設定データを選択して用いている。
【発明の効果】
【００２２】
この様な本発明の画像形成装置によれば、記録用紙の両面印字に際し、記録用紙の先端及び後端にそれぞれのボイド域を形成している。これらの先端及び後端のボイド域には、トナー像が転写されず、トナーの付着力が生じない。このため、記録用紙をその先端から各ローラ間に通しても、記録用紙先端がローラから容易に剥がれ、記録用紙がローラに巻き付くことがなく、ジャムが発生することもない。更に、スイッチバック搬送により記録用紙の表裏を反転させ、記録用紙の裏面にトナー像を転写してから、記録用紙をその後端から各ローラ間に通しても、記録用紙後端がローラから容易に剥がれ、記録用紙がローラに巻き付くことがなく、ジャムが発生することもない。
【００２３】
例えば、記録用紙の長さ及び印字手段への該記録用紙の搬送開始時点に応じて該印字手段による印字時間を制御すれば、記録用紙の後端のボイド域を形成することができる。
【００２４】
また、記録用紙の先端及び後端のボイド域は、定着装置の定着ローラへの巻き付きを防止するためのものである。
【００２５】
更に、印字手段による記録用紙への印字開始時点で該記録用紙の先端のボイド域に引き続く該記録用紙の印字域が該印字手段に到達する様に、該記録用紙の搬送を制御している。これにより、記録用紙の先端のボイド域を形成することができる。
【００２６】
また、記録用紙の長さを用いて、印字手段への記録用紙の搬送開始時点から該記録用紙の後端のボイド域が該印字手段に到達するまでの時間を求め、この時間を用いて、該記録用紙の後端のボイド域を形成することができる。あるいは、印字手段への記録用紙の搬送開始時点から該記録用紙の後端のボイド域が該印字手段に到達するまでの時間を求め、この時間が経過した時点で該印字手段による該記録用紙への書き込みを終了させて、該記録用紙の後端のボイド域を形成することができる。
【００２７】
また、記録用紙のサイズが不定もしくは不明である場合は、１枚の記録用紙毎に、該記録用紙の先端及び後端のボイド域の設定データを求めるのが好ましい。あるいは、複数の記録用紙が同一サイズである場合は、１枚の記録用紙の先端及び後端のボイド域の設定データを求めると、これらのボイド域の設定データを他の記録用紙にも適用して、処理の迅速化を図るのが好ましい。更に、各種の記録用紙のサイズ毎に、記録用紙の先端及び後端のボイド域の設定データを記憶した記憶手段を設け、記憶手段を検索して、記録用紙のサイズに対応する該記録用紙の先端及び後端のボイド域の設定データを選択して用い、処理の迅速化を図っても良い。
【発明を実施するための最良の形態】
【００２８】
以下、本発明の一実施形態を添付図面を参照しつつ詳細に説明する。
【００２９】
図１は、本発明の画像形成装置の一実施形態を示す概略図である。この画像形成装置１００は、原稿用紙から読取られた画像データを取得したり、或いは、外部から受信した画像データを取得し、この画像データによって示されるモノクロ画像を記録用紙に形成するものであり、その構成を大別すると、原稿用紙搬送部（ＡＤＦ）１０１、画像読取り部１０２、印字部１０３、記録用紙搬送部１０４、及び給紙部１０５からなる。
【００３０】
原稿用紙搬送部１０１では、少なくとも１枚の原稿用紙が原稿セットトレイ１１にセットされると、原稿用紙を１枚ずつ原稿セットトレイ１１から引き出して搬送し、この原稿用紙を画像読取り部１０２の原稿読取り窓１０２ａに導いて通過させ、この原稿用紙を排紙トレイ１２に排出する。
【００３１】
原稿読取り窓１０２ａの上方には、ＣＩＳ（Contact Image Sensor）１３を配設している。このＣＩＳ１３は、原稿読取り窓１０２ａを原稿用紙が通過する際に、原稿用紙裏面の画像を主走査方向に繰り返し読取り、原稿用紙裏面の画像を示す画像データを出力する。
【００３２】
また、画像読取り部１０２は、原稿用紙が原稿読取り窓１０２ａを通過する際に、第１走査ユニット１５のランプによって原稿用紙表面を露光し、第１及び第２走査ユニット１５、１６のミラーによって原稿用紙表面からの反射光を結像レンズ１７へと導き、結像レンズ１７によって原稿用紙表面の画像をＣＣＤ（Charge Coupled Device）１８上に結像する。ＣＣＤ１８は、原稿用紙表面の画像を主走査方向に繰り返し読取り、原稿用紙表面の画像を示す画像データを出力する。
【００３３】
更に、原稿用紙が画像読取り部１０２上面のプラテンガラス上に置かれた場合は、第１及び第２走査ユニット１５、１６を相互に所定の速度関係を維持しつつ移動させ、第１走査ユニット１５によってプラテンガラス上の原稿用紙表面を露光し、第１及び第２走査ユニット１５、１６によって原稿用紙表面からの反射光を結像レンズ１７へと導き、結像レンズ１７によって原稿用紙表面の画像をＣＣＤ１８上に結像する。
【００３４】
ＣＩＳ１３もしくはＣＣＤ１８から出力された画像データは、マイクロコンピュータ等の制御回路により各種の画像処理を施されてから、印刷部１０３に出力される。
【００３５】
印刷部１０３は、画像データによって示される原稿を用紙に記録するものであって、感光体ドラム２１、帯電器２２、光書込みユニット２３、現像器２４、転写ユニット２５、クリーニングユニット２６、及び定着ユニット２７等を備えている。
【００３６】
感光体ドラム２１は、一方向に回転しており、その表面をクリーニングユニット２６によりクリーニングされてから、その表面を帯電器２２により均一に帯電される。帯電器２２は、チャージャー型のものであっても、感光体ドラム２１に接触するローラ型やブラシ型のものであっても良い。
【００３７】
光書込みユニット２３は、２つのレーザ照射部２８ａ、２８ｂ、及び２つのミラー群２９ａ、２９ｂを備えるレーザスキャニングユニット（ＬＳＵ）である。この光書込みユニット２３では、画像データを入力して、この画像データに応じたレーザ光を各レーザ照射部２８ａ、２８ｂからそれぞれ出射し、これらのレーザ光を各ミラー群２９ａ、２９ｂ介して感光体ドラム２１に照射して、均一に帯電された感光体ドラム２１表面を露光し、感光体ドラム２１表面に静電潜像を形成する。
【００３８】
この光書込みユニット２３は、高速印字処理に対応するために２つのレーザ照射部２８ａ、２８ｂを備えた２ビーム方式を採用して、照射タイミングの高速化に伴う負担を軽減している。
【００３９】
尚、光書込ユニット２３として、レーザスキャニングユニットの代わりに、発光素子をアレイ状に並べたＥＬ書き込みヘッドやＬＥＤ書き込みヘッドを用いることもできる。
【００４０】
現像器２４は、トナーを感光体ドラム２１表面に供給して、静電潜像を現像し、トナー像を感光体ドラム２１表面に形成する。転写ユニット２５は、感光体ドラム２１表面のトナー像を用紙搬送部１０４により搬送されてきた記録用紙に転写する。定着ユニット２７は、記録用紙を加熱及び加圧して、記録用紙上のトナー像を定着させる。この後、記録用紙は、用紙搬送部１０４により排紙トレイ４７へと更に搬送されて排出される。また、クリーニングユニット２６は、現像、転写後に感光体ドラム２１の表面に残留したトナーを除去して回収する。
【００４１】
ここで、転写ユニット２５は、転写ベルト３１、駆動ローラ３２、従動ローラ３３、及び弾性導電性ローラ３４等を備えており、転写ベルト３１を該各ローラ３２〜３４と他のローラに張架して回転させている。転写ベルト３１は、所定の抵抗値（例えば、１×１０9〜１×１０13Ω／ｃｍ）を有しており、その表面に載せられた記録用紙を搬送する。弾性導電性ローラ３４は、転写ベルト３１を介して感光体ドラム２１表面に押し付けられており、転写ベルト３１上の記録用紙を感光体ドラム２１表面に押し付ける。この弾性導電性ローラ３４には、感光体ドラム２１表面のトナー像の電荷とは逆極性の電界が印加されており、この逆極性の電界により感光体ドラム２１表面のトナー像が転写ベルト３１上の記録用紙に転写される。例えば、トナー像が（−）極性の電荷を有している場合は、弾性導電性ローラ３４に印加されている電界の極性が（＋）極性にされる。
【００４２】
定着ユニット２７は、加熱ローラ３５及び加圧ローラ３６を備えている。加熱ローラ３５内部には、該加熱ローラ３５表面を所定温度（定着温度：概ね１６０〜２００℃）に設定するための熱源を設けている。また、加熱ローラ３５に対して加圧ローラ３６が所定圧で圧接されるように、加圧ローラ３６の両端に図示しない加圧部材を配置している。加熱ローラ３５と加圧ローラ３６間の圧接域（ニップ域と称される）に記録用紙が搬送されて来ると、各ローラ３５、３６により記録用紙が搬送されつつ、記録用紙上の未定着トナー像が加熱溶融され加圧されて、トナー像が記録用紙上に定着される。
【００４３】
用紙搬送部１０４は、記録用紙を搬送するための複数対の搬送ローラ４１、一対のレジストローラ４２、搬送経路４３、反転搬送経路４４ａ、４４ｂ、複数の分岐爪４５、及び一対の排紙ローラ４６等を備えている。
【００４４】
搬送経路４３では、記録用紙を給紙部１０５から受け取り、記録用紙の先端がレジストローラ４２に達するまで該記録用紙を搬送する。このときレジストローラ４２を一時的に停止させているので、記録用紙の先端がレジストローラ４２に達して当接し、記録用紙が撓む。この撓んだ記録用紙の弾性力により該記録用紙の先端をレジストローラ４２と平行に揃える。この後、レジストローラ４２の回転を開始して、レジストローラ４２により記録用紙を印字部１０３の転写ユニット２５へと搬送し、更に排紙ローラ４６により記録用紙を排紙トレイ４７へと搬送する。
【００４５】
レジストローラ４２の停止及び回転は、レジストローラ４２と駆動軸間のクラッチをオンオフに切り替えたり、レジストローラ４２の駆動源であるモータをオンオフに切り替えてなされる。
【００４６】
また、記録用紙の裏面にも画像を記録する場合は、各分岐爪４５を選択的に切替え、記録用紙を搬送経路４３から反転搬送経路４４ｂへと導き入れて、記録用紙の搬送を一旦停止させ、更に各分岐爪４５を選択的に再度切替え、記録用紙を反転搬送経路４４ｂから反転搬送経路４４ａへと導き入れて、記録用紙の表裏を反転させてから、記録用紙を反転搬送経路４４ａを通じて搬送経路４３のレジストローラ４２へと戻す。
【００４７】
この様な記録用紙の搬送をスイッチバック搬送と称し、このスイッチバック搬送により記録用紙の表裏を反転させることができ、同時に記録用紙の先端及び後端も入れ替わる。従って、記録用紙の後端がレジストローラ４２に当接して、記録用紙の後端がレジストローラ４２と平行に揃えられ、レジストローラ４２により記録用紙がその後端から印字部１０３の転写ユニット２５へと搬送されて、記録用紙の裏面に印字がなされ、定着ユニット２７の各ローラ３５、３６間のニップ域により記録用紙裏面の未定着トナー像が加熱溶融され加圧されて、トナー像が記録用紙の裏面に定着され、この後に排紙ローラ４６により記録用紙が排紙トレイ４７へと搬送される。
【００４８】
搬送経路４３及び反転搬送経路４４ａ、４４ｂにおいては、記録用紙の位置等を検出するセンサーを各所に配置し、各センサーにより検出された記録用紙の位置に基づいて搬送ローラやレジストローラを駆動制御して、記録用紙の搬送及び位置決めを行っている。
【００４９】
給紙部１０５は、複数の給紙トレイ５１を備えている。各給紙トレイ５１は、記録用紙を蓄積しておくためのトレイであり、画像形成装置１００の下方に設けられている。また、各給紙トレイ５１は、記録用紙を一枚ずつ引き出すためのピックアップローラ等を備えており、引き出した記録用紙を用紙搬送部１０４の搬送経路４３へと送り出す。
【００５０】
本実施形態の画像形成装置１００は高速印字処理を目的としているため、各給紙トレイ５１には、定型サイズの記録用紙を５００〜１５００枚収納可能な容積を確保している。
【００５１】
また、画像形成装置１００の側面には、複数種の記録用紙を多量に収納可能な大容量給紙カセット（ＬＣＣ）５２、及び主として不定型サイズの記録用紙を供給するための手差しトレイ５３を設けている。
【００５２】
排紙トレイ４７は、手差しトレイ５３とは反対側の側面に配置されている。この排紙トレイ４７に代えて、排紙用紙の後処理装置（ステープル、パンチ処理等々）や、複数段の排紙トレイをオプションとして配置することも可能な構成となっている。
【００５３】
ところで、図２（ａ）に拡大して示す様に定着ユニット２７の各ローラ３５、３６周面に沿って、それぞれの剥離爪３７が配置されている。これらの剥離爪３７は、各ローラ３５、３６間のニップ域を通過した記録用紙Ｐの端部をローラから剥離して、ローラへの記録用紙の巻き付きを防止する。
【００５４】
しかしながら、仮に、記録用紙の表面全体にトナー像を転写して、記録用紙を定着ユニット２７の各ローラ３５、３６間のニップ域に通すと、記録用紙先端がトナーの付着力によりローラ３５に密着することがあり、この場合は、図２（ｂ）に示す様に記録用紙Ｐ先端が剥離爪３７とローラ３５間の隙間を通過したり、この隙間に挟まってしまい、記録用紙がローラ３５に巻き付いて、ジャムが発生する。また、先に述べた様にスイッチバック搬送により記録用紙の表裏を反転させた後では、記録用紙の先端及び後端が入れ替わるので、記録用紙をその後端から定着ユニット２７の各ローラ３５、３６間のニップ域に通すことになるが、このときには記録用紙後端がトナーの付着力によりローラ３６に密着し、記録用紙がローラ３５に巻き付き、ジャムが発生する。
【００５５】
そこで、本実施形態の画像形成装置１００では、記録用紙の両面印字に際し、余白となるボイド域を記録用紙の先端及び後端に形成している。これにより、記録用紙をその先端から各ローラ３５、３６間のニップ域に通すとき、及び記録用紙をその後端からニップ域に通すときのいずれにおいても、図２（ａ）に示す様に記録用紙Ｐの端部がローラ周面から浮き上がり、剥離爪３７により記録用紙の端部が容易に剥がされて、記録用紙がローラに巻き付くことがなくなり、ジャムが発生することもない。
【００５６】
図３は、記録用紙の先端及び後端にそれぞれのボイド域を形成するための制御を行う制御系を示すブロック図である。
【００５７】
図３において、制御部７１は、画像形成装置１００を統括的に制御するものであり、印字要求を入力したり、搬送経路４３及び反転搬送経路４４ａ、４４ｂにおける記録用紙の搬送位置を入力し、これらの印字要求や記録用紙の搬送位置等に基づいて、感光体ドラム２１、帯電器２２、光書込みユニット２３、現像器２４、転写ユニット２５、クリーニングユニット２６、定着ユニット２７、及び給紙部１０５等を駆動制御し、記録用紙の表面もしくは裏面の印字を行いつつ、記録用紙の先端及び後端にそれぞれのボイド域を形成する。
【００５８】
次に、図４のフローチャートを参照しつつ、記録用紙の先端及び後端にそれぞれのボイド域を形成するための制御手順を説明する。
【００５９】
まず、制御部７１は、印字要求があると（ステップＳ１０１）、給紙部１０５の１つの給紙トレイ５１を選択し、この給紙トレイ５１のピックアップローラ等を駆動制御して、この給紙トレイ５１から搬送経路４３へと記録用紙を供給させ（ステップＳ１０２）、搬送経路４３のレジストローラ４２を一時的に停止させた状態で、記録用紙の先端がレジストローラ４２直前のセンサーにより検出されるのを、つまり記録用紙の先端がレジストローラ４２に達するのを待機する（ステップＳ１０３）。そして、制御部７１は、記録用紙の先端がレジストローラ４２に達すると（ステップＳ１０３で「Ｙｅｓ」）、記録用紙の先端をレジストローラ４２に当接させて、記録用紙の先端をレジストローラ４２と平行に揃える（ステップＳ１０４）。
【００６０】
このとき、制御部７１は、光書込みユニット２３を制御して、感光体ドラム２１への静電潜像の書き込みを開始している。この書き込みに引き続いて、現像器２４により感光体ドラム２１上の静電潜像が現像され、感光体ドラム２１上にトナー像が形成される。そして、制御部７１は、感光体ドラム２１上のトナー像の先端が転写ユニット２５による転写位置に到達するタイミングで、記録用紙の印字域開始位置が該転写位置に到達する様に、レジストローラ４２の回転駆動を開始して、記録用紙の搬送を開始する（ステップＳ１０５）。
【００６１】
ただし、記録用紙表面の印字域開始位置は、記録用紙の先端のボイド域の幅の分だけ該先端から離間している。
【００６２】
ここで、静電潜像の書き込み位置、感光体ドラム２１の回転速度、及び転写ユニット２５による転写位置が決められていて、静電潜像の書き込み開始時点からトナー像の転写開始時点までの時間が一定であることから、静電潜像の書き込み開始時点が決まれば、トナー像の転写開始時点が分る。また、レジストローラ４２の位置から転写ユニット２５による転写位置までの距離、記録用紙の先端のボイド域の幅、及び記録用紙の搬送速度が決められていることから、レジストローラ４２に当接している記録用紙の印字域開始位置から転写位置までの距離が分り、この距離だけ記録用紙を搬送するのに要する搬送時間Ｔが分る。
【００６３】
従って、制御部７１は、感光体ドラム２１への静電潜像の書き込み開始時点よりトナー像の転写開始時点を求め、このトナー像の転写開始時点よりも搬送時間Ｔだけ遡った時点で、レジストローラ４２による記録用紙の搬送を開始すれば、感光体ドラム２１上のトナー像の先端が転写ユニット２５による転写位置に到達するタイミングで、記録用紙の印字域開始位置を到達させることができる。
【００６４】
こうして制御部７１は、レジストローラ４２の回転駆動を開始して、記録用紙の搬送を開始すると、レジストローラ４２直後のセンサーにより記録用紙の先端が検出されるのを、つまり記録用紙の先端がレジストローラ４２を通過するのを待機する（ステップＳ１０６）。そして、記録用紙の先端がレジストローラ４２を通過すると（ステップＳ１０６で「Ｙｅｓ」）、記録用紙の印字域の印字処理、すなわち現像器２４による感光体ドラム２１上の静電潜像の現像、転写ユニット２５による記録用紙の印字域へのトナー像の転写等が行われる（ステップＳ１０７）。
【００６５】
これにより、図５に示す様に記録用紙Ｐ表面の先端に余白のボイド域Ｂ１１が形成され、このボイド域Ｂ１１に引き続く印字域Ｃ１にトナー像が形成される。例えば、ボイド域Ｂ１１として、幅２〜３ｍｍの余白域が形成される。
【００６６】
一方、記録用紙の印字処理と平行して、記録用紙の後端のボイド域の設定が行われる。このために、制御部７１は、記録用紙の長さを求める。例えば、レジストローラ４２上流側のセンサーによる記録用紙の先端の検出時点から後端の検出時点までの時間を計時すれば、記録用紙の搬送速度が一定なので、計時した時間と搬送速度に基づいて、記録用紙の長さを求めることができる。また、給紙部１０５の各給紙トレイ５１に収容されている記録用紙のサイズがそれぞれ決まっていれば、給紙トレイ５１を選択して、この給紙トレイ５１から記録用紙の供給を受けた時点で、記録用紙のサイズを特定して、その長さを求めることができる。そして、制御部７１は、記録用紙の長さ及び予め決められたボイド域の幅に基づいて、記録用紙先端から該記録用紙の後端のボイド域開始位置までの長さを求める。更に、制御部７１は、この記録用紙先端から後端のボイド域までの長さ、レジストローラ４２直後のセンサーにより記録用紙の先端が検出された時点、このセンサーの位置から転写ユニット２５による転写位置までの距離、及び記録用紙の搬送速度に基づいて、記録用紙の後端のボイド域開始位置が転写ユニット２５による転写位置に到達するタイミングを求める（ステップＳ１０８）。
【００６７】
具体的には、記録用紙先端から後端のボイド域までの長さとレジストローラ４２直後のセンサーの位置から転写位置までの距離との和を求め、この和を記録用紙の搬送速度で割って、レジストローラ４２直後のセンサーによる記録用紙の先端の検出時点から記録用紙の後端のボイド域開始位置が転写位置に到達するまでの時間を求める。
【００６８】
更に、制御部７１は、ステップＳ１０８で求めた記録用紙の後端のボイド域開始位置が転写ユニット２５による転写位置に到達するタイミングで、感光体ドラム２１上のトナー像の後端が該転写位置に到達する様に、感光体ドラム２１への静電潜像の書き込み時間を求める（ステップＳ１０９）。
【００６９】
具体的には、静電潜像の書き込み開始時点からトナー像の転写開始時点までの時間が一定であることから、ステップＳ１０８で求めた記録用紙の後端のボイド域開始位置が転写ユニット２５による転写位置に到達するタイミングよりも該一定の時間前に、感光体ドラム２１への静電潜像の書き込みを終了するタイミングを求める。
【００７０】
そして、制御部７１は、ステップＳ１０９で求めた書き込みを終了するタイミングになるまで、感光体ドラム２１への静電潜像の書き込みを継続し（ステップＳ１１０）、このタイミングになると、感光体ドラム２１への静電潜像の書き込みを終了する（ステップＳ１１０で「Ｙｅｓ」）。
【００７１】
これにより、図５に示す様に記録用紙Ｐ表面の後端に余白のボイド域Ｂ２１が形成される。例えば、ボイド域Ｂ２１として、幅２〜３ｍｍの余白域が形成される。
【００７２】
こうして記録用紙表面の印字域のトナー像の形成と、先端のボイド域Ｂ１１及び後端のボイド域Ｂ２１の形成が終了すると、この記録用紙が定着ユニット２７の各ローラ３５、３６間のニップ域に通されて、この記録用紙の表面の印字域のトナー像が定着される。この記録用紙表面の定着に際しては、記録用紙表面の先端にボイド域Ｂ１１が形成されているので、図２（ａ）に示す様に記録用紙表面の先端のボイド域Ｂ１１がローラ３５周面から浮き上がり、剥離爪３７により記録用紙の端部を容易に剥がすことができ、記録用紙がローラに巻き付くことがない。
【００７３】
次に、制御部７１により次の印字要求があるか否かの確認がなされ（ステップＳ１１１）、印字要求がなければ（ステップＳ１１１で「Ｎｏ」）、図４の処理を終了する。
【００７４】
また、印字要求があると（ステップＳ１１１で「Ｙｅｓ」）、ステップＳ１０２に戻る。そして、ステップＳ１１１での印字要求が２枚目の記録用紙Ｐに対するものであれば、１枚目の記録用紙と同様に、給紙トレイ５１から搬送経路４３へと２枚目の記録用紙が供給され（ステップＳ１０２）、ステップＳ１０３以降の処理が行われ、この記録用紙の表面の印字域にトナー像が形成される。
【００７５】
また、ステップＳ１１１での印字要求が１枚目の記録用紙Ｐの裏面に対するものであれば、先に述べた様にスイッチバック搬送により記録用紙の表裏を反転させて、記録用紙の先端及び後端を入れ替え、記録用紙を反転搬送経路４４ａを通じて搬送経路４３のレジストローラ４２へと戻す（ステップＳ１０２）。
【００７６】
このとき、記録用紙の先端及び後端が入れ替わっているので、記録用紙がその後端から搬送経路４３に導かれることになる。
【００７７】
制御部７１は、搬送経路４３のレジストローラ４２を一時的に停止させた状態で、記録用紙の後端がレジストローラ４２に達するのを待機し（ステップＳ１０３）、記録用紙の後端がレジストローラ４２に達すると（ステップＳ１０３で「Ｙｅｓ」）、記録用紙の後端をレジストローラ４２に当接させて、記録用紙の後端をレジストローラ４２と平行に揃える（ステップＳ１０４）。
【００７８】
このとき、感光体ドラム２１への静電潜像の書き込みが開始されており、この書き込みに引き続いて、現像器２４により感光体ドラム２１上の静電潜像が現像され、感光体ドラム２１上にトナー像が形成される。
【００７９】
そして、制御部７１は、感光体ドラム２１上のトナー像の先端が転写ユニット２５による転写位置に到達するタイミングで、記録用紙裏面の印字域開始位置が該転写位置に到達する様に、レジストローラ４２の回転駆動を開始して、記録用紙の搬送を開始する。ただし、記録用紙裏面の印字域開始位置は、記録用紙の後端のボイド域の幅の分だけ該後端から離間している。また、記録用紙表面の印字が既に終了しており、記録用紙が定着ユニット２７の各ローラ３５、３６間のニップ域を一度通過した後なので、記録用紙の長さが一定の比率で若干伸びており、記録用紙表面の印字域の長さ、記録用紙表面の先端及び後端のボイドの長さも一定の比率で伸びている。そこで、制御部７１は、ボイド域の元の幅に一定の比率を掛け合わせて、若干伸びたボイド域の幅を求め、感光体ドラム２１上にトナー像の先端が転写位置に到達するタイミングで、記録用紙裏面の若干伸びたボイド域に引き続く印字域開始位置が該転写位置に到達する様に、レジストローラ４２の回転駆動を開始して、記録用紙の搬送を開始する（ステップＳ１０５）。
【００８０】
更に、制御部７１は、記録用紙の搬送を開始すると、記録用紙の後端がレジストローラ４２を通過するのを待機する（ステップＳ１０６）。記録用紙の後端がレジストローラ４２を通過すると（ステップＳ１０６で「Ｙｅｓ」）、記録用紙裏面の印字域の印字処理が行われる（ステップＳ１０７）。
【００８１】
これにより、図５に示す様に記録用紙Ｐ裏面の後端に余白のボイド域Ｂ２２が形成され、このボイド域Ｂ２２に引き続く印字域Ｃ２にトナー像が転写される。
【００８２】
また、記録用紙裏面の印字処理と平行して、記録用紙裏面の先端のボイド域の設定が行われる。このために、制御部７１は、まず記録用紙の長さを求める。先に述べた様に記録用紙が定着ユニット２７の各ローラ３５、３６間のニップ域を一度通過した後であり、記録用紙の長さが一定の比率で若干伸びている。このため、制御部７１は、記録用紙表面の印字処理のときに求めた記録用紙の長さに一定の比率を掛け合わせて、若干伸びた記録用紙の長さを求める。そして、制御部７１は、この若干伸びた記録用紙の長さ及び先に求めた若干伸びたボイド域の幅に基づいて、記録用紙後端から若干伸びた先端のボイド域開始位置までの長さを求め、この求めた長さ、レジストローラ４２直後のセンサーにより記録用紙の後端が検出された時点、このセンサーの位置から転写位置までの距離、及び記録用紙の搬送速度に基づいて、記録用紙の若干伸びた先端のボイド域開始位置が転写位置に到達するタイミングを求める（ステップＳ１０８）。
【００８３】
更に、制御部７１は、ステップＳ１０８で求めた記録用紙の若干伸びた先端のボイド域開始位置が転写ユニット２５による転写位置に到達するタイミングで、感光体ドラム２１上のトナー像の後端が該転写位置に到達する様に、感光体ドラム２１への静電潜像の書き込み時間を求める（ステップＳ１０９）。
【００８４】
そして、制御部７１は、ステップＳ１０９で求めた書き込みを終了するタイミングになるまで、感光体ドラム２１への静電潜像の書き込みを継続し（ステップＳ１１０）、このタイミングになると、感光体ドラム２１への静電潜像の書き込みを終了する（ステップＳ１１０で「Ｙｅｓ」）。
【００８５】
これにより、図５に示す様に記録用紙Ｐ裏面の先端に若干伸びたボイド域Ｂ１２が形成される。
【００８６】
こうして記録用紙裏面の印字域への印字と、記録用紙裏面の後端のボイド域Ｂ２２及び先端のボイド域Ｂ１２の形成が終了すると、この記録用紙が定着ユニット２７の各ローラ３５、３６間のニップ域を通されて、この記録用紙の裏面の印字域のトナー像が定着される。この記録用紙裏面の定着に際し、記録用紙裏面がローラ３５に密着しても、記録用紙裏面の後端にボイド域Ｂ２２が形成されていることから、記録用紙裏面の後端のボイド域Ｂ２２がローラ３５周面から浮き上がり、剥離爪３７により記録用紙の先端部を容易に剥がすことができる。また、記録用紙表面がローラ３６に密着しても、記録用紙表面の後端のボイド域２１がローラ３６周面から浮き上がり、剥離爪３７により記録用紙の先端部を容易に剥がすことができる。従って、記録用紙がローラに巻き付くことがない。
【００８７】
この後、制御部７１により次の印字要求があるか否かの確認がなされ（ステップＳ１１１）、印字要求がなければ（ステップＳ１１１で「Ｎｏ」）、図４の処理を終了し、また印字要求があれば（ステップＳ１１１で「Ｙｅｓ」）、ステップＳ１０２に戻る。
【００８８】
以降同様に、記録用紙表面の印字に際しては、記録用紙表面の先端のボイド域Ｂ１１、印字域、及び後端のボイド域Ｂ２１が順次形成され、記録用紙表面の印字域のトナー像が定着され、引き続いて記録用紙裏面の印字も行う場合は、記録用紙の先端及び後端が入れ替わるので、記録用紙裏面の後端のボイド域Ｂ２２、印字域、及び先端のボイド域Ｂ１２が順次形成され、記録用紙裏面の印字域のトナー像が定着される。
【００８９】
従って、記録用紙裏面の定着のときには、記録用紙表面及び裏面のいずれにも後端のボイド域Ｂ２１、２２が存在することになり、記録用紙がその後端から定着ユニット２７の各ローラ３５、３６間のニップ域を通過しても、記録用紙表面及び裏面の後端のボイド域Ｂ２１、２２が各ローラ３５、３６周面のいずれからも浮き上がり、剥離爪３７により記録用紙の端部を容易に剥がすことができる。
【００９０】
この様に本実施形態では、記録用紙表面の印字のときに、記録用紙表面の先端のボイド域Ｂ１１だけではなく、表面の後端のボイド域Ｂ２１も形成しておき、引き続く記録用紙裏面の印字のときには、記録用紙裏面の後端のボイド域Ｂ２２を形成している。このため、記録用紙表面のトナー像の定着に際しては、記録用紙表面の先端のボイド域Ｂ１１が定着ユニット２７のローラ３５周面から浮き上がり、剥離爪３７により記録用紙の端部が容易に剥がされて、記録用紙がローラに巻き付くことがない。また、記録用紙裏面のトナー像の定着に際しては、記録用紙表面及び裏面の後端のボイド域Ｂ２１、２２が定着ユニット２７の各ローラ３５、３６周面のいずれからも浮き上がり、剥離爪３７により記録用紙の端部を容易に剥がすことができる。
【００９１】
従って、スイッチバック搬送により記録用紙の表裏を反転させ、記録用紙の裏面にトナー像を転写してから、記録用紙をその後端から定着ユニット２７の各ローラ３５、３６間に通しても、記録用紙後端がローラに巻き付くことがなく、ジャムが発生することもない。
【００９２】
また、記録用紙表面の定着により該記録用紙の長さが一定の比率で伸びて、表面の先端及び後端のボイド域も一定の比率で伸びるので、記録用紙裏面の印字のときに、先端及び後端のボイド域の幅も一定の比率で伸ばして形成している。これにより、記録用紙表面と裏面間で、先端及び後端のボイド域がそれぞれ正確に重なり合うことになり、かつ印字域もそれぞれ正確に重なり合うことになり、表面の印字域と裏面の印字域がずれずに済む。
【００９３】
尚、本発明は、上記実施形態に限定されるものではなく、多様に変形することができる。例えば、記録用紙表面のみに印字し、裏面の印字を行わない場合は、記録用紙表面の後端のボイド域Ｂ２１を省略して、この省略したボイド域Ｂ２１の分だけ印字域を拡大しても良い。
【００９４】
また、記録用紙の表面及び裏面を印字する場合に、記録用紙裏面の先端のボイド域Ｂ１２を省略しても構わない。これは、記録用紙をその後端から定着ユニット２７の各ローラ３５、３６間のニップ域に通すことから、記録用紙の後端がローラに密着することを防止することができれば良く、記録用紙の先端がローラに密着していても、その影響が無いからである。
【００９５】
また、記録用紙表面の後端のボイド域Ｂ２１もしくは裏面の先端のボイド域Ｂ１２を設定するために、用紙の長さ、レジストローラ４２直後のセンサーの位置から転写ユニット２５による転写位置までの距離、及び記録用紙の搬送速度を用いて、記録用紙の後端のボイド域が転写位置に到達するまでの時間を求めているが、用紙のサイズが変わらなければ、この時間も変わることがないので、同一サイズの用紙の記録を繰り返すときには、この時間を援用しても良い。例えば、同一の給紙トレイ５１から複数の用紙を給紙する場合は、同一サイズの用紙の記録を繰り返すことになるので、その時間を一度求めれば、この時間を援用することができる。
【００９６】
あるいは、各種の記録用紙のサイズ毎に、記録用紙の後端のボイド域が転写位置に到達するまでの時間をメモリに記憶しておき、記録用紙の印字に際し、メモリを検索して、この記録用紙のサイズに対応する時間を選択して用いても構わない。
【００９７】
また、本発明のボイド域は、記録用紙の印字レイアウトの１つとして設定される余白部とは異なるものであり、この印字レイアウトのための記録用紙の先端及び後端の余白部が無しに設定されたとしても、この余白部とは別に記録用紙の先端及び後端のボイド域が残される。
【図面の簡単な説明】
【００９８】
【図１】本発明の画像形成装置の一実施形態の全体構成を概略的に示す側面図である。
【図２】（ａ）、（ｂ）は、図１の画像形成装置における定着ユニットのローラ近傍を拡大して概略的に示す側面図であり、ローラ周面の剥離爪の動作を示している。
【図３】図１の画像形成装置における制御系を示すブロック図である。
【図４】図１の画像形成装置における記録用紙のボイド域を形成するための制御手順を示すフローチャートである。
【図５】記録用紙のボイド域を例示する斜視図である。
【符号の説明】
【００９９】
２１  感光体ドラム
２２  帯電器
２３  光書込みユニット
２４  現像器
２５  転写ユニット
２６  クリーニングユニット
２７  定着ユニット
３５  加熱ローラ
３６  加圧ローラ
３７  剥離爪
４１  搬送ローラ
４２  レジストローラ
６１  ピックアップローラ
７１  制御部
１００  画像形成装置
１０１  原稿用紙搬送部
１０２  画像読取り部
１０３  印字部
１０４  記録用紙搬送部
１０５  給紙部
【図１】
2008020555.tif 000003
【図２】
2008020555.tif 000004
【図３】
2008020555.tif 000005
【図４】
2008020555.tif 000006
【図５】
2008020555.tif 000007